【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
鋸刃であって、
背と、前記鋸刃の前記背の反対側に配置された切削エッジと切削方向とを規定する複数の切削歯と、連なる切削歯の間に各々存在する複数の歯間部と、を有する刃本体であって、前記切削歯の各歯が、切削される材料の中を前記切削方向に動かされる時に前記材料を切削するように構成されるとともに、先端と、先端の高さと、前記切削方向と反対の方向に前記先端から延在する少なくとも一つの歯逃げ面と、前記先端に関して前記少なくとも一つの歯逃げ面と反対の側に前記先端から前記歯間部の方へ延出するすくい面とを規定し、前記複数の切削歯の先端が前記切削エッジを規定し、前記切削方向において連なる切削歯の先端の間の前記切削エッジに沿った距離が前記切削エッジのピッチを規定する、刃本体と、
後方の歯の前記先端からの前記切削エッジに沿って第１距離だけ前記後方の歯から前記切削方向に各々が突出する複数のチップリミッタであって、先端と、先端の高さと、前記チップリミッタの先端から前記後方の歯の前記すくい面の方へ延出するチップリミッタ逃げ面と、前記チップリミッタの先端に関して前記チップリミッタ逃げ面と反対側に配置されて前記チップリミッタの先端から前記歯間部の方へ延出するチップリミッタすくい面とを各々が規定するチップリミッタと、
を包含し、
前記切削歯の先端の高さが前記チップリミッタの高さより大きく、
前記第１距離が、（i）前記ピッチの約２２％から約４４％の範囲内と、（ii）前記切削方向において前記チップリミッタの先端と前方の切削歯の先端との間に規定される前記切削エッジに沿った第２距離の約３０％から約４０％の範囲内の少なくとも一方であり、
各チップリミッタが、（i）物体と前記後方の歯との接触時に、前記物体の約５０％超が前記切削エッジを越えて前記歯間部の方へ突出することを実質的に防止するとともに、（ii）前記チップリミッタの先端と接触する前記材料を少なくとも部分的に切削するように構成される、
鋸刃。
【請求項２】
前記第１距離が前記ピッチの約２４％から約４０％の範囲内である、請求項１に記載の鋸刃。
【請求項３】
前記第１距離が前記ピッチの約２２％から約４４％の範囲内であり、前記切削歯の先端の高さと前記チップリミッタの高さとの差である高差が前記ピッチの約８％から約２０％の範囲内である、請求項１に記載の鋸刃。
【請求項４】
前記第１距離が前記第２距離の約３０％から約４０％の範囲内であり、前記第２距離が前記ピッチの約７１％から約７７％の範囲内であり、前記切削歯の先端の高さと前記チップリミッタの高さとの差である高差が前記ピッチの約５％から約１８％の範囲内である、請求項１に記載の鋸刃。
【請求項５】
前記切削歯の先端部がコーティング、カーバイド、サーメット、またはダイヤモンド材料の少なくとも一つを包含し、前記切削歯の先端の高さと前記チップリミッタの高さとの差である高差が前記ピッチの約３％から約１０％の範囲内である、請求項１に記載の鋸刃。
【請求項６】
前記チップリミッタが、前記ピッチの少なくとも４０％の直径を有する物体の約３０％超が前記後方の歯と接触することを実質的に防止するように構成される、請求項１に記載の鋸刃。
【請求項７】
前記少なくとも一つの歯逃げ面が、約２４度から約３７度の範囲内の一次歯逃げ角を規定する一次歯逃げ面を含む、請求項１に記載の鋸刃。
【請求項８】
前記一次歯逃げ面が、前記ピッチの約１７％から約４４％の範囲内である前記切削エッジに沿った歯逃げ面距離に及ぶ、請求項７に記載の鋸刃。
【請求項９】
前記チップリミッタ逃げ面が、約２０度から約３７度の範囲内のチップリミッタ逃げ角を規定する、請求項１に記載の鋸刃。
【請求項１０】
鋸刃であって、
背と、前記鋸刃の前記背の反対側に配置された切削エッジと切削方向とを規定する複数の一次切削歯と、連なる一次切削歯の間に各々存在する複数の歯間部と、を有する刃本体であって、前記一次切削歯の各歯が、切削される材料の中を前記切削方向に動かされる時には少なくとも前記材料を切削するように構成されるとともに、先端と、先端の高さと、前記切削方向と反対の方向に前記先端から延在する少なくとも一つの歯逃げ面と、前記先端に関して前記少なくとも一つの歯逃げ面と反対側に前記先端から前記歯間部の方へ延出するすくい面とを規定し、前記複数の一次切削歯の先端が前記切削エッジを規定し、前記切削方向において連なる一次切削歯の先端の間の前記切削エッジに沿った距離が前記切削エッジの一次ピッチを規定する、刃本体、
を包含し、
各歯間部が、当該歯間部から前記切削エッジの方へ突出するとともに先端と先端の高さとを規定する二次切削歯を有し、
前記一次切削歯の先端の高さが、前記二次切削歯の先端の高さより大きく、
前記二次切削歯の先端が、後方の一次切削歯の先端から前記切削方向に前記切削エッジに沿って第１距離に配置され、前記第１距離が、前記一次ピッチの約２０％から約４４％の範囲内の二次ピッチを規定し、
前記二次切削歯が、（i）物体と前記後方の一次切削歯との接触時に、前記物体の約５０％超が前記切削エッジから前記歯間部の方へ突出することを実質的に防止するとともに、（ii）前記二次切削歯の先端と接触する前記材料を少なくとも部分的に切削するように構成される、
鋸刃。
【請求項１１】
前記一次切削歯の先端の高さと前記二次切削歯の先端の高さとの差である高差が前記一次ピッチの約６％から約３０％の範囲内である、請求項１０に記載の鋸刃。
【請求項１２】
前記一次切削歯の先端部が、コーティング、カーバイド、サーメット、またはダイヤモンド材料の少なくとも一つを包含し、前記一次切削歯の先端の高さと前記二次切削歯の先端の高さとの差である高差が前記一次ピッチの約３％から約１０％の範囲内である、請求項１０に記載の鋸刃。
【請求項１３】
前記二次切削歯が、前記一次切削歯の前記一次ピッチの少なくとも約４０％の直径を有する物体の約３０％超が前記後方の一次切削歯と接触することを実質的に防止するように構成される、請求項１０に記載の鋸刃。
【請求項１４】
鋸刃であって、
背と、前記鋸刃の前記背の反対側に配置された切削エッジと切削方向とを規定する複数の一次切削歯と、連なる一次切削歯の間に各々存在する複数の歯間部と、を有する刃本体であって、前記一次切削歯の各歯が、切削される材料の中を前記切削方向に動かされる時には少なくとも前記材料を切削するように構成されるとともに、先端と、先端の高さと、前記切削方向と反対の方向に前記先端から延出する少なくとも一つの歯逃げ面と、前記先端に関して前記少なくとも一つの歯逃げ面と反対側に前記先端から前記歯間部の方へ延出するすくい面とを規定し、前記複数の一次切削歯の先端が前記切削エッジを規定し、前記切削方向において連なる一次切削歯の先端の間の前記切削エッジに沿った距離が前記切削エッジの一次ピッチを規定する、刃本体、
を包含し、
各歯間部が、当該歯間部から前記切削エッジの方へ突出する少なくとも二つの二次切削歯を有し、二次切削歯は、高さを規定する先端を有する前方二次切削歯と、高さを規定する先端を有する後方二次切削歯とを含み、
前記一次切削歯の先端の高さが、前記前方二次切削歯の先端および前記後方二次切削歯の先端の高さより大きく、
前記後方二次切削歯の先端が、後方の一次切削歯の先端から前記切削方向に前記切削エッジに沿って第１距離に配置されて、前記第１距離が二次ピッチを規定し、
前記前方二次切削歯の先端が、前記後方二次切削歯の先端から前記切削方向に前記切削エッジに沿って第２距離に配置されて、前記第２距離が三次ピッチを規定し、
前記二次ピッチおよび前記三次ピッチの各々が、前記一次ピッチの約１５％から約３５％の範囲内であり、
前記少なくとも二つの二次切削歯が、（i）前記材料内の物体と前記後方の一次切削歯との接触時に、前記物体の約５０％超が前記切削エッジを越えて前記歯間部の方へ突出することを実質的に防止するとともに、（ii）前記二次切削歯の先端と接触する前記材料を少なくとも部分的に切削するように構成される、
鋸刃。
【請求項１５】
前記一次切削歯の先端の高さと前記二次切削歯の先端の高さとの差である高差が、前記一次ピッチの約６％から約３０％までの範囲内である、請求項１４に記載の鋸刃。
【請求項１６】
前記一次切削歯の先端部が、コーティング、カーバイド、サーメット、またはダイヤモンド材料の少なくとも一つを包含し、前記一次切削歯の先端の高さと前記二次切削歯の先端の高さとの差である高差が前記一次ピッチの約３％から約１０％までの範囲内である、請求項１４に記載の鋸刃。
【請求項１７】
前記少なくとも二つの二次切削歯が、前記一次切削歯の前記一次ピッチの少なくとも約４０％の直径を有する物体の約３０％超が前記後方の一次切削歯と接触することを実質的に防止するように構成される、請求項１４に記載の鋸刃。
【請求項１８】
鋸刃であって、
背と、前記鋸刃の前記背の反対側に配置された切削エッジと切削方向とを規定する複数の一次切削歯と、連なる一次切削歯の間に各々存在する複数の歯間部と、を有する刃本体であって、前記一次切削歯の各歯が、切削される材料の中を前記切削方向に動かされる時に少なくとも、前記材料を切削るように構成されるとともに、先端と、先端の高さと、前記切削方向と反対の方向に前記先端から延出する少なくとも一つの歯逃げ面と、前記先端に関して前記少なくとも一つの歯逃げ面と反対側に前記先端から前記歯間部の方へ延出するすくい面とを規定し、前記複数の一次切削歯の先端が前記切削エッジを規定し、前記切削方向において連なる一次切削歯の先端の間の前記切削エッジに沿った距離が前記切削エッジの一次ピッチを規定する、刃本体と、
前記材料の中の物体の約５０％超が、後方の一次切削歯との接触時に前記切削エッジを越えて前記歯間部の方へ突出することを実質的に防止するための複数の第１手段であって、接触する前記材料を少なくとも部分的に切削するための第２手段を含む第１手段と、
を包含する鋸刃。
【請求項１９】
前記第１手段が、前記後方の一次切削歯の先端から前記切削エッジに沿って第１距離だけ前記切削方向に前記後方の一次切削歯から突出するチップリミッタを包含し、前記第２手段が高さを規定するチップリミッタの先端を包含し、前記チップリミッタがさらに、前記チップリミッタの先端から前記後方の一次切削歯の前記すくい面の方へ延出するチップリミッタ逃げ面と、前記チップリミッタの先端に関して前記チップリミッタ逃げ面と反対側に配置されて前記チップリミッタの先端から前記歯間部の方へ延出するチップリミッタすくい面とを規定し、
前記一次切削歯の先端の高さが前記チップリミッタの高さより大きく、
前記第１距離が、（i）前記一次ピッチの約２２％から約４４％までの範囲内と、（ii）前記切削方向において前記チップリミッタの先端と前記前方の切削歯の先端との間に規定される前記切削エッジに沿った第２距離の約３０％から約４０％までの範囲内の少なくとも一方である、
請求項１８に記載の鋸刃。
【請求項２０】
前記第１手段が二次切削歯を包含し、各歯間部が、当該歯間部から前記切削エッジの方へ突出する二次切削歯を有し、前記第２手段が、高さを規定する二次切削歯先を包含し、
前記一次切削歯の先端の高さが前記二次切削歯の先端の高さより大きく、
前記二次切削歯の先端が、後方の前記一次切削歯の先端から前記切削方向に前記切削エッジに沿った第１距離に配置されて、前記第１距離が前記一次ピッチの約２０％から約４４％までの範囲内の二次ピッチを規定する、
請求項１８に記載の鋸刃。
【請求項２１】
前記第１手段が二次切削歯を包含し、前記第２手段が、高さを規定する二次切削歯の先端を包含し、各歯間部が、当該歯間部から前記切削エッジの方へ突出する前方二次切削歯と後方二次切削歯とを含む少なくとも二つの前記二次切削歯を有し、
前記一次切削歯の先端の高さが前記二次切削歯の先端の高さより大きく、
前記後方二次切削歯の先端が、後方の一次切削歯の先端から前記切削方向に前記切削エッジに沿った第１距離に配置されて、前記第１距離が二次ピッチを規定し、
前記前方二次切削歯の先端が、前記後方二次切削歯の先端から前記切削方向に前記切削エッジに沿った第２距離に配置されて、前記第２距離が三次ピッチを規定し、
前記二次ピッチおよび前記三次ピッチの各々が、前記一次ピッチの約１５％から約３５％までの範囲内である、
請求項１８に記載の鋸刃。
【手続補正２】
【補正対象書類名】明細書
【補正対象項目名】００１９
【補正方法】変更
【補正の内容】
【００１９】
別の態様によれば、鋸刃は、背と、鋸刃の背の反対側に配置された切削エッジと切削方向とを規定する複数の一次切削歯と、各々が連なる一次切削歯の間にある複数の歯間部と、を有する刃本体を包含し、一次切削歯の各歯は、切削される材料の中を切削方向に動かされる時には少なくとも材料を切削するように構成されるとともに、先端と、先端の高さと、切削方向と反対の方向に先端から延出する少なくとも一つの歯逃げ面と、先端に関して少なくとも一つの歯逃げ面と反対側に先端から歯間部の方へ延出するすくい面とを規定し、一次切削歯の先端は切削エッジを規定し、切削方向に連なる一次歯先の間の切削エッジに沿った距離は、切削エッジの一次ピッチを規定する。各歯間部は、歯間部から切削エッジの方へ突出する少なくとも二つの二次切削歯を有し、二次切削歯は、高さを規定すの先端を有する前方二次切削歯と、高さを規定する先端を有する後方二次切削歯とを有する。一次切削歯の先端の高さは前方二次切削歯の先端および後方二次切削歯の先端の高さより大きい。後方二次切削歯の先端は、後方の一次切削歯の先端から切削方向に切削エッジに沿って第１距離に配置され、第１距離は二次ピッチを規定し、前方二次切削歯の先端は、後方二次切削歯の先端から切削方向に切削エッジに沿って第２距離に配置されて、第２距離は三次ピッチを規定する。二次ピッチおよび三次ピッチの各々は、一次ピッチの約１５％から約３５％の範囲内である。少なくとも二つの二次切削歯は、（i）材料の中の異物などの物体と後方の一次切削歯との接触時に、物体の約５０％超が切削エッジを越えて当該の歯間部の方へ突出することを実質的に制限または防止するとともに、（ii）二次切削歯の先端と接触する材料を少なくとも部分的に切削するように構成される。